【事件の表示】
　特願２０１２−１０４２３８号「ゲーミングマシン」拒絶査定不服審判事件〔平成２５年１１月１４日出願公開、特開２０１３−２３０２７２号〕について、次のとおり審決する。
【結　論】
　本件審判の請求は、成り立たない。
【理　由】
第１　手続の経緯
　本願は、平成２４年４月２７日に特許出願されたものであって、平成２７年１１月１２日付けで拒絶理由通知がされ、これに対し平成２８年１月７日付けで手続補正がなされたが、平成２８年７月１４日付けで拒絶査定がなされ、これに対して、平成２８年９月８日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載の補正を含むものであり、請求項１の記載は、補正前の、
「【請求項１】
　表示窓を有した筐体と、
　前記表示窓を介して前記筐体外から視認可能に前記筐体内に配置され、シンボルを備えたリール帯がそれぞれ設けられて水平方向に並設された複数のリールと、
　遊技に関する情報を識別可能とする可視情報を含む可視光を前記複数のリールの外周に照射する照射光装置とを有しており、
　前記リールは、前記照射光装置からの前記可視光を反射するミラー層を有し、
　前記照射光装置は、前記表示窓の窓枠よりも外側領域に配置され、前記可視光を前記リールの前記リール帯側に照射するように設定されているとともに、全リールの幅よりも長尺の可視光を出射するように、各リールに対向して配置された複数のＬＥＤユニットを有していることを特徴とするゲーミングマシン。」から、
補正後の
「【請求項１】
　表示窓を有した筐体と、
　前記表示窓を介して前記筐体外から視認可能に前記筐体内に配置され、シンボルを備えたリール帯がそれぞれ設けられて水平方向に並設された複数のリールと、
　遊技に関する情報を識別可能とする可視情報を含む可視光を前記複数のリールの外周に照射する照射光装置とを有しており、
　前記リールは、前記照射光装置からの前記可視光を反射するミラー層を有し、
　前記照射光装置は、前記表示窓の窓枠よりも外側領域に配置され、前記可視光を前記リールの前記リール帯側に照射するように設定されているとともに、全リールの幅よりも長尺の可視光を出射するように、
前記
毎
て前記水平方向に並設され
へ補正された（下線部は補正箇所を示すため当審で付与した。）。
２．補正の適否　
　本件補正により請求項１の記載は、「複数のＬＥＤユニット」について、「各リールに対向して配置された」から「前記リール毎に対向して配置されて前記水平方向に並設された」と限定された。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。　
　そして、本件補正は、【図９】および、本願明細書の【００９８】の記載に基づいており、新規事項を追加するものではない。
　
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１．の補正の概要において示した次に特定されるとおりのものである（Ａ〜Ｅについては、発明特定事項を分説するため当審で付与した。）。
「Ａ　表示窓を有した筐体と、
Ｂ　前記表示窓を介して前記筐体外から視認可能に前記筐体内に配置され、シンボルを備えたリール帯がそれぞれ設けられて水平方向に並設された複数のリールと、
Ｃ　遊技に関する情報を識別可能とする可視情報を含む可視光を前記複数のリールの外周に照射する照射光装置とを有しており、
Ｄ　前記リールは、前記照射光装置からの前記可視光を反射するミラー層を有し、
Ｅ　前記照射光装置は、前記表示窓の窓枠よりも外側領域に配置され、前記可視光を前記リールの前記リール帯側に照射するように設定されているとともに、全リールの幅よりも長尺の可視光を出射するように、前記リール毎に対向して配置されて前記水平方向に並設された複数のＬＥＤユニットを有していることを特徴とするゲーミングマシン。」
（２）刊行物に記載された事項
　原査定の拒絶の理由に引用された本願の出願日前に頒布された刊行物である特開２００５−１２４７３９号公報（以下、「刊行物１」という。）には、図面と共に次の事項が記載されている（下線は当審で付した。）。
（ア）「【特許請求の範囲】
【請求項１】
　図柄が裏面に描かれたハーフミラーテープを捲装する複数の円筒状のリールと、前記ハーフミラーテープの裏面に光を照射して前記図柄を前面に表示させるバックランプとを備える遊技機用の回胴装置であって、
　前記リールの表示面に向けて映像を投影する投影部と、
　前記リールの背後の位置に設けられている映像表示部と、を更に備えることを特徴とする回胴装置。
・・・
【請求項４】
　
図柄が裏面に描かれたハーフミラーテープを捲装する複数の円筒状のリールと、前記ハーフミラーテープの裏面に光を照射して前記図柄を前面に表示させるバックランプとを備える回胴装置が搭載された回胴式遊技機であって、
　前記リールの表示面に向けて映像を投影する投影部と
　前記リールの背後の位置に設けられている映像表示部と、を更に
備えることを特徴とする回胴式遊技機。
【請求項５】
　前記投影部は、前記リールの表示面側の上下の位置に２個設置されていることを特徴とする請求項４に記載の回胴式遊技機。
・・・」
（イ）「【発明の効果】
【００２１】
　請求項１〜３に係る発明によれば、リールの周面に捲装されたハーフミラーテープで投影部からの映像を反射して表示するので、リールの位置において遊技者の視覚に訴える効果的な演出表示を行うことができる。
【００２２】
　また、
リールの周面で図柄と反射映像を切り換えて表示するので、ゲームの進行状況等に合わせた多様な演出表示を行うことができる。
【００２３】
　また、映像表示部がリールの背景映像を表示するので、これらリールの反射映像と背景映像とが組み合わされた効果的な演出表示を行うことができる。
【００２４】
　請求項４〜６に係る発明によれば、回胴装置による効果的な演出表示を行うことで、遊技の興趣を高めることができる。」
（ウ）「【００２６】
　図１は、スロットマシン１の外観構造を表した正面図、図２はスロットマシン１の内部構造を表した図である。図１及び図２において、
スロットマシン１は、箱状の筐体２と、筐体２と蝶番機構により開閉可能に取り付けられたフロントドア３とを備えて構成されている。
【００２７】
　
フロントドア３の遊技者に面する側には、
上部パネル部４、中部パネル部５、及び下部パネル部６が設けられている。
・・・
【００３０】
　
中部パネル部５には、
パネル面５０が設けられ
パネル面５０のほぼ中央には略長方形の透明な表示窓５１が形成され、表示窓５１を通して筐体２内に取り付けられている３個のリール２１ａ，２１ｂ，２１ｃ
を目視できるようになっている。
【００３１】
　ここで、詳細は後述するが、回胴装置２０は、
３個の円筒形状のリール２１ａ，２１ｂ，２１ｃが回転軸方向に並べられて構成され、筐体２内に設置されている。
（エ）「【００４４】
　サブ制御基板３３０の下方には、リール２１ａ，２１ｂ，２１ｃを目視させるための表示窓５１を有するパネル面５０が取り付けられている。
表示窓５１の上下端側に、リール２１ａ，２１ｂ，２１ｃに向けて映像を投影する２個の投影部３４ａ，３４ｂが取り付けられている。
（オ）「【００５６】
　第１、第２リング部２１３，２１４及び梁部２１５から形成される
リール２１ａの周面には、長尺状のリールテープ２８ａが貼り付けられ
その表面にはハーフミラー加工が施されて鏡面２８２ａが形成され、裏面には複数種類の図柄２８１ａが印刷さている。
【００５７】
　なお、透明なプラスチックシートの一方の面にハーフミラー加工が施され、他方の面に入射した光をほぼ透過させる性質を有するリールテープをここでは「ハーフミラーテープ」と呼んでいる。また、
他のリール２１ｂ，２１ｃの周面にも図柄の配列のみが異なる同様のリールテープがそれぞれ捲装されて貼り付けられる。
（カ）「【００６３】
　なお、
投影部３４ａ，３４ｂを形成する液晶ディスプレイは、バックライトを有してユニット化された自発光型の映像表示装置である。
【００６４】
　図６（ａ）は、回胴装置２０と背景映像表示部２９によって演出映像を表示する表示態様を表している。この場合、
任意に選択されたリール２１のバックランプユニット２６が消灯し、そのリール２１の表示面に向けて投影部３４ａ，３４ｂが映像を投影すると、リール２１の周面に形成されている鏡面で映像が反射する。これにより、遊技者ＰＥＹＥは表示窓５１を通して反射映像ＭＩＭＧを観察できる。
・・・
【００６７】
　なお、
バックランプユニット２６ａ，２６ｂ，２６ｃのいずれかを選択して点灯させる
バックランプユニット２６ａ，２６ｂ，２６ｃを点灯させないリール２１に向けて部分的に投影部３４ａ，３４ｂが映像を投影すると、そのリール２１のみに反射映像ＭＩＭＧが表示される。
（キ）【図６】はスロットマシン１の内部構造を表す図であり、投影部３４ａ，３４ｂは表示窓５１の窓枠より外側（上下側）に、リール２１に対向して配置されていることが図示されている。
　上記（ア）〜（キ）の記載事項、図示内容から刊行物１には以下の事項が記載されているといえる。
（ａ）上記（ウ）【００２７】、【００３０】には、フロントドア３には中部パネル部５が設けられ、中部パネル部５にはパネル面５０が設けられ、パネル面５０には表示窓５１が形成されることが記載されている。したがって、フロントドア３には表示窓５１が形成されている。
　また、上記（ウ）【００２６】には、スロットマシン１は、箱状の筐体２と、筐体２と蝶番機構により開閉可能に取り付けられたとフロントドア３とを備えて構成されることが記載されおり、フロントドア３は、通常時は閉の状態であるから筐体２の一部であるといえる。
　したがって、刊行物１には、表示窓５１が形成された筐体２について記載されているといえる。
（ｂ）上記（ウ）【００３０】には、表示窓５１を通して筐体２内に取り付けられている３個のリール２１ａ，２１ｂ，２１ｃを目視できることが記載され、上記（ウ）【００３１】には、３個の円筒形状のリール２１ａ，２１ｂ，２１ｃが回転軸方向に並べられて構成され、筐体２内に設置されていることが記載されている。
　また、上記（オ）【００５６】、【００５７】には、リール２１ａ，２１ｂ，２１ｃの周面には、長尺状のリールテープ２８ａが貼り付けられ、その表面にはハーフミラー加工が施されて鏡面２８２ａが形成され、裏面には複数種類の図柄２８１ａが印刷されていると記載されている。
　したがって、刊行物１には、表示窓５１を通して目視できるように筐体２内に取り付けられ、裏面には複数種類の図柄２８１ａが印刷された長尺状のリールテープ２８ａが周面に貼り付けられた回転軸方向に並べられて構成された３個の円筒形状のリール２１ａ，２１ｂ，２１ｃについて記載されているといえる。
（ｃ）上記（エ）には、表示窓５１の上下端側に、リール２１ａ，２１ｂ，２１ｃに向けて映像を投影する２個の投影部３４ａ，３４ｂが取り付けられていることが記載されている。
　そして、上記（イ）【００２２】には、リールの周面で図柄と反射映像を切り換えて表示するので、ゲームの進行状況等に合わせた多様な演出表示を行うことができると記載されているから、反射映像の映像は演出表示用のものである。
　したがって、刊行物１には、演出表示用の映像をリール２１ａ，２１ｂ，２１ｃに向けて投影する２個の投影部３４ａ，３４ｂについて記載されているといえる。
（ｄ）上記（オ）【００５６】には、リール２１ａの周面には、長尺状のリールテープ２８ａが貼り付けられ、その表面にはハーフミラー加工が施されて鏡面２８２ａが形成されていることが記載され、また、上記（カ）【００６４】には、リール２１の表示面に向けて投影部３４ａ，３４ｂが映像を投影すると、リール２１の周面に形成されている鏡面で映像が反射することが記載されている。
　したがって、刊行物１には、リール２１は、投影部３４ａ，３４ｂが映像を投影すると映像を反射する鏡面２８２ａについて記載されているといえる。
（ｅ）上記（キ）【００２６】には、投影部３４ａ，３４ｂは表示窓５１の窓枠より外側に、リール２１に対向して配置されていることが示されている。
　そして、上記（カ）【００６３】には、投影部３４ａ，３４ｂを形成する液晶ディスプレイは、バックライトを有してユニット化されたことが記載され、【００６４】には、選択されたリール２１の表示面に向けて投影部３４ａ，３４ｂが映像を投影することが記載されている。
　また、上記（ウ）【００２６】にはスロットマシン１について記載されている。
　したがって、刊行物１には、投影部３４ａ，３４ｂは、表示窓５１の窓枠より外側に、リール２１に対向して配置され、映像を選択されたリール２１の表示面に向けて投影するとともに、バックライトを有してユニット化された液晶ディスプレイから形成されたスロットマシン１について記載されているといえる。
　上記（ア）〜（キ）の記載事項等及び上記（ａ）〜（ｅ）の認定事項を総合すれば、刊行物１には以下の発明（以下、「引用発明」という。）が記載されている（ａ〜ｅは発明の構成を分説するため当審で付与した。）。
「ａ　表示窓５１が形成された筐体２と、
ｂ　表示窓５１を通して目視できるように筐体２内に取り付けられ、裏面には複数種類の図柄２８１ａが印刷された長尺状のリールテープ２８ａが周面に貼り付けられた回転軸方向に並べられて構成された３個の円筒形状のリール２１ａ，２１ｂ，２１ｃと、
ｃ　演出表示用の映像をリール２１ａ，２１ｂ，２１ｃに向けて投影する２個の投影部３４ａ，３４ｂとを有しており、
ｄ　リール２１は、投影部３４ａ，３４ｂが映像を投影すると映像を反射する鏡面２８２ａを有し、
ｅ　投影部３４ａ，３４ｂは、表示窓５１の窓枠より外側に、リール２１に対向して配置され、映像を選択されたリール２１の表示面に向けて投影するとともに、バックライトを有してユニット化された液晶ディスプレイから形成されたスロットマシン１。」
（３）対比
　本願補正発明と引用発明とを対比する。なお、見出しは（ａ）〜（ｅ）とし、本願補正発明、引用発明の分説に対応させている。
（ａ）引用発明の「表示窓５１」、「筐体２」は、それぞれ本願補正発明の「表示窓」、「筐体」に相当する。したがって、引用発明の「表示窓５１が形成された筐体２」は、本願発明の「表示窓を有した筐体」に相当する。
（ｂ）引用発明の「表示窓５１を通して目視できる」ことは、本願補正発明の「表示窓を介して前記筐体外から視認可能」であることに相当する。
　そして、引用発明の「複数種類の図柄２８１ａが印刷された長尺状のリールテープ２８ａが周面に貼り付けられ」た「３個の円筒形状のリール２１ａ，２１ｂ，２１ｃ」は、本願補正発明の「シンボルを備えたリール帯がそれぞれ設けられ」た「複数のリール」に相当し、引用発明の「回転軸方向に並べられて構成された」は、本願補正発明の「水平方向に並設された」ことを意味するのは明らかである。
　そうすると、引用発明の「表示窓５１を通して目視できるように筐体２内に取り付けられ、裏面には複数種類の図柄２８１ａが印刷された長尺状のリールテープ２８ａが周面に貼り付けられ、回転軸方向に並べられて構成された３個の円筒形状のリール２１ａ，２１ｂ，２１ｃ」は、本願補正発明の「前記表示窓を介して前記筐体外から視認可能に前記筐体内に配置され、シンボルを備えたリール帯がそれぞれ設けられて水平方向に並設された複数のリール」に相当する。
（ｃ）引用発明の演出表示用の「映像」は上記（２）（カ）【００６４】によれば、リール２１の鏡面で反射され、遊技者が反射映像ＭＩＭＧとして観察できるので、本願補正発明の「可視情報を含む可視光」に相当する。
　したがって、引用発明の「演出表示用の映像」は、本願補正発明の「遊技に関する情報を識別可能とする可視情報を含む可視光」に相当する。
　また、引用発明の「リール２１ａ，２１ｂ，２１ｃに向けて投影する２個の投影部３４ａ，３４ｂ」は、本願補正発明の「複数のリールの外周に照射する照射光装置」に相当する。
　以上より、引用発明の「演出表示用の映像をリール２１ａ，２１ｂ，２１ｃに向けて投影する２個の投影部３４ａ，３４ｂ」は、本願補正発明の「遊技に関する情報を識別可能とする可視情報を含む可視光を前記複数のリールの外周に照射する照射光装置」に相当する。
（ｄ）引用発明の「映像を反射する鏡面２８２ａ」は、本願補正発明の「可視光を反射するミラー層」に相当するから、引用発明の「リール２１は、投影部３４ａ，３４ｂが映像を投影すると映像を反射する鏡面２８２ａを有し」は、本願補正発明の「リールは、前記照射光装置からの前記可視光を反射するミラー層を有し」に相当する。
（ｅ）引用発明の「投影部３４ａ，３４ｂは、表示窓５１の窓枠より外側に」「配置され」は、本願補正発明の「照射光装置は、前記表示窓の窓枠よりも外側領域に配置され」に相当する。
　また、引用発明の「投影部３４ａ，３４ｂは」「映像を」「リール２１の表示面に向けて投影する」ことは、本願補正発明の「照射光装置は」「可視光を前記リールの前記リール帯側に照射する」ことに相当するから、引用発明の「投影部３４ａ，３４ｂ」は、本願補正発明の「照射光装置」と同様の設定をされていることは明らかである。
　そして、引用発明の「投影部３４ａ，３４ｂ」は「リール２１に対向して配置」されているから、引用発明の「バックライトを有してユニット化された液晶ディスプレイ」も「リール２１に対向して配置」されることは明らかである。
　そうすると、引用発明の「バックライト」と本願補正発明の「ＬＥＤユニット」はいずれも「光源」であることを考慮すると、
　引用発明の「投影部３４ａ，３４ｂは、表示窓５１の窓枠より外側に、リール２１に対向して配置され、映像を選択されたリール２１の表示面に向けて投影するとともに、バックライトを有してユニット化された液晶ディスプレイから形成された」ことと、
　本願補正発明の「前記照射光装置は、前記表示窓の窓枠よりも外側領域に配置され、前記可視光を前記リールの前記リール帯側に照射するように設定されているとともに、全リールの幅よりも長尺の可視光を出射するように、前記リール毎に対向して配置されて前記水平方向に並設された複数のＬＥＤユニットを有している」こととは、
「前記照射光装置は、前記表示窓の窓枠よりも外側領域に配置され、前記可視光を前記リールの前記リール帯側に照射するように設定されているとともに、前記リールに対向して配置された光源を有している」点で共通している。
　また、引用発明の「スロットマシン１」は、本願補正発明の「ゲーミングマシン」に相当する。
　以上、（ａ）〜（ｅ）の対比より、両者は
「Ａ　表示窓を有した筐体と、
Ｂ　前記表示窓を介して前記筐体外から視認可能に前記筐体内に配置され、シンボルを備えたリール帯がそれぞれ設けられて水平方向に並設された複数のリールと、
Ｃ　遊技に関する情報を識別可能とする可視情報を含む可視光を前記複数のリールの外周に照射する照射光装置とを有しており、
Ｄ　前記リールは、前記照射光装置からの前記可視光を反射するミラー層を有し、
Ｅ’　前記照射光装置は、前記表示窓の窓枠よりも外側領域に配置され、前記可視光を前記リールの前記リール帯側に照射するように設定されているとともに、前記リールに対向して配置された光源を有しているゲーミングマシン。」
である点で一致しており、次の点で相違する。
（相違点）
　照射光装置について、本願補正発明は「全リールの幅よりも長尺の可視光を出射するように、前記リール毎に対向して配置されて前記水平方向に並設された複数のＬＥＤユニット」を有しているのに対し、引用発明はそのような特定がない点。
（４）判断
　そこで、前記相違点について検討する。
（ア）まず、引用発明の照射光装置は選択されたリールに演出表示用の映像を投影できるものであるから、リール２１ａ，２１ｂ，２１ｃの各表面に同時に投影することも可能である。そして、リール２１ａ，２１ｂ，２１ｃの各表面の幅全体を利用して、演出表示用の映像を遊技者の視覚的に訴えるように見やすくするためには、照射光装置は少なくとも前記各リールの各表面の幅全体に対し照射する必要があることは自明事項である。
　そうすると、引用発明において照射光装置の光源を、全リールの幅よりも長尺の可視光を出射するようにすることは当業者が適宜設定できる設計事項である。
　
（イ）また、上記（２）（カ）【００６４】には、「任意に選択されたリール２１のバックランプユニット２６が消灯し、そのリール２１の表示面に向けて投影部３４ａ，３４ｂが映像を投影すると、リール２１の周面に形成されている鏡面で映像が反射する。」と記載され、刊行物１において、バックランプユニット２６はリール２１毎に設けられている。
　そうすると、引用発明の照射光装置（液晶ディスプレイ）の光源はリール毎に配置しているか否か定かではないものの、選択されたリール２１のバックランプユニット２６が消灯したタイミングで該リールに照射することは上記のとおりであるから、照射光装置（液晶ディスプレイ）の光源をリールに対応して個別に設けること、すなわちリール毎に設けることは当業者なら容易になし得ることである。
（ウ）そして、引用発明の照射光装置が有する光源は、リールに対向して配置されているから、上記（３）（ｂ）より水平方向に配置されているといえる。
　一方、遊技機において、液晶ディスプレイの光源として並設された複数のＬＥＤユニットを用いることは、例えば、特開２００８−６１６８号公報（【００２５】、【００２６】、【図３】、【図５】、【図６】参照）、特開２００６−１６４号公報（【００２１】、【図３】、【図４】参照）に示されるように、本願出願前に周知技術である。
　そして、引用発明の照射光装置は液晶ディスプレイから形成されているから、そのバックライトとして、遊技機における上記周知技術を採用することは当業者が容易になし得ることである。
（エ）そうすると、上記（ア）で検討した、「照射光装置の光源を、全リールの幅よりも長尺の可視光を出射するようにする」という設計事項に対して、（イ）、（ウ）で検討した「前記リール毎に対向して配置されて前記水平方向に並設された複数のＬＥＤユニット」を有すようにすることは当業者が容易になし得ることであり、結局、前記相違点に係る本願補正発明の構成は引用発明及び周知技術から当業者が容易に想到し得ることである。
（オ）本願補正発明の効果について、
　審判請求人は請求書第３頁において、以下の主張をしている。
「そして、本願請求項１に記載の発明によると、以下の効果を奏します。 
　リールとＬＥＤユニットとを一対一で対向させることで、ＬＥＤユニット毎に点灯、発光色、光量等を容易に制御することができる。 
　また、リールとＬＥＤユニットとを一対一で対向させることで、照射光装置をリールに近接させて配置しても、全リールの幅よりも長尺の可視光を出射することができる。 
　よって、照射光装置をリールに近接させることができるので、ゲーミングマシンの大型化を軽減させることができる。」
　しかしながら、リールとＬＥＤユニットとを一対一で対向させることで、ＬＥＤユニット毎に点灯、発光色、光量等を容易に制御することができるという本願補正発明の効果は、上記（イ）の検討のとおり、引用発明は選択されたリール２１に対して照射でき、リール毎に演出映像を投影できるから、引用発明及び周知技術から予測できる範囲のものであり格別なものではない。
　また、リールとＬＥＤユニットとを一対一で対向させることで、照射光装置をリールに近接させて配置しても、全リールの幅よりも長尺の可視光を出射することができることについて、「リールとＬＥＤユニットとを一対一で対向させること」と「照射光装置をリールに近接させて配置しても、全リールの幅よりも長尺の可視光を出射することができること」は直接的な関連は認められない。すなわち、ＬＥＤユニットが単数であろうが複数であろうが、ＬＥＤユニットの左右両端からの出射される可視光が全リールの左右端よりも長尺になるように設定することは可能である。また、「照射光装置をリールに近接させて配置」という構成自体は請求項１の記載において特定されていない事項でもある。
　仮に、「リールとＬＥＤユニットとを一対一で対向させること」により「照射光装置をリールに近接させること」が容易であるとして検討すると、大型化の軽減自体はスロット等の遊技機が内在している課題でもあり、大型化の軽減のため各種部品の位置等に工夫をこらすことは当業者が常に考慮すべき事項であるから、この点についても引用発明から予測できる範囲のものである。
　したがって、請求人の主張は採用できず、本願補正発明の効果は引用発明、周知技術からみて格別のものではない。
（５）小括
　よって、本願補正発明は引用発明及び周知技術に基づいて当業者が容易に発明できたものであり、特許法第２９条第２項の規定に基づいて特許出願の際独立して特許を受けることができない。
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記第２のとおり却下されたので、本願の請求項１〜５に係る発明は、平成２８年１月７日付けの手続補正書により補正された、特許請求の範囲の請求項１〜５に記載されたとおりのものであるところ、その請求項１に係る発明（以下、「本願発明」という。）は、次に特定されるとおりのものである。
「【請求項１】
　表示窓を有した筐体と、
　前記表示窓を介して前記筐体外から視認可能に前記筐体内に配置され、シンボルを備えたリール帯がそれぞれ設けられて水平方向に並設された複数のリールと、
　遊技に関する情報を識別可能とする可視情報を含む可視光を前記複数のリールの外周に照射する照射光装置とを有しており、
　前記リールは、前記照射光装置からの前記可視光を反射するミラー層を有し、
　前記照射光装置は、前記表示窓の窓枠よりも外側領域に配置され、前記可視光を前記リールの前記リール帯側に照射するように設定されているとともに、全リールの幅よりも長尺の可視光を出射するように、各リールに対向して配置された複数のＬＥＤユニットを有していることを特徴とするゲーミングマシン。」
１．刊行物
　原査定の拒絶の理由に引用された刊行物１の記載事項、引用発明は、上記第２の３．（２）に記載したとおりである。
　
２．対比、判断
　本願発明は本願補正発明の「前記リール毎に対向して配置されて前記水平方向に並設された複数のＬＥＤユニット」において「前記」、「毎」、「て前記水平方向に並設され」を省いたものである。
　そうすると、本願発明の発明特定事項をすべて含み、さらに、他の発明特定事項を付加したものに相当する本願補正発明が、上記第２に記載したとおり、引用発明及び周知技術に基づいて、当業者が容易に発明をすることができたものであるから、本願発明も、同様に、引用発明及び周知技術に基づいて、当業者が容易に発明をすることができたものである。
　
３．むすび
　以上のとおり、本願発明は、特許法第２９条第２項の規定に基づいて特許を受けることができないものである。
　したがって、その余の請求項について検討するまでもなく、本願は拒絶すべきものである。
　よって、結論のとおり審決する。